(57)【要約】【課題】無線通信システムにおけるセル間干渉を制御可能な上りアクセス送信電力制御方法および装置を提供する。【解決手段】複数のセルをそれぞれ制御する複数の無線通信装置を有する無線通信システムにおいて、各無線通信装置は、自局セルにおける上りアクセス遅延を検出し、上りアクセス遅延と目標遅延とを比較し、その比較結果に基づいて上りアクセス送信電力に関わる値を制御する。たとえば上りアクセス遅延が目標遅延に近づくように上りアクセス送信電力を制御する。目標遅延は前記無線通信装置ごとに設定されうる。【選択図】図５
2008278268.tif 000002
【特許請求の範囲】
【請求項１】
複数のセルを有する無線通信システムの各セルを制御する無線通信装置における上りアクセス送信電力制御方法であって、
自局セルにおける上りアクセス遅延を検出し、
前記上りアクセス遅延から求まるアクセス遅延量と目標遅延とを比較し、
前記遅延比較結果に基づいて上りアクセス送信電力に関わる値を制御する、
ことを特徴とする上りアクセス送信電力制御方法。
【請求項２】
前記アクセス遅延量が前記目標遅延に従うように、前記上りアクセス送信電力に関わる値を制御することを特徴とする請求項１に記載の上りアクセス送信電力制御方法。
【請求項３】
前記目標遅延は前記無線通信装置ごとに設定されることを特徴とする請求項１または２に記載の上りアクセス送信電力制御方法。
【請求項４】
前記アクセス遅延量が前記目標遅延より短いときには前記上りアクセス送信電力に関わる値を低下させ、
前記アクセス遅延量が前記目標遅延より長いときには、所定の上限以下で前記上りアクセス送信電力に関わる値を増加させることを特徴とする請求項１−３のいずれか１項に記載の上りアクセス送信電力制御方法。
【請求項５】
前記所定の上限は前記無線通信装置ごとに設定されることを特徴とする請求項４に記載の上りアクセス送信電力制御方法。
【請求項６】
隣接セルから当該隣接セルの上りアクセス送信電力を受信し、
前記アクセス遅延量が前記目標遅延より短いときには前記上りアクセス送信電力に関わる値を低下させ、
前記アクセス遅延量が前記目標遅延より長いときには前記上りアクセス送信電力に関わる値の現在値と前記隣接セルの上りアクセス送信電力に関わる値とを比較し、
前記上りアクセス送信電力に関わる値の比較結果に基づいて前記上りアクセス送信電力に関わる値の増加ステップ幅を変化させる、
ことを特徴とする請求項１−３のいずれか１項に記載の上りアクセス送信電力制御方法。
【請求項７】
前記上りアクセス送信電力に関わる値の現在値が隣接セルの上りアクセス送信電力に関わる値より低いときには第１増加ステップ幅で前記上りアクセス送信電力に関わる値を増加させ、
前記上りアクセス送信電力に関わる値の現在値が隣接セルの上りアクセス送信電力に関わる値より高いときには、前記第１増加ステップ幅よりも小さい第２増加ステップ幅で前記上りアクセス送信電力に関わる値を増加させる、
ことを特徴とする請求項６に記載の上りアクセス送信電力制御方法。
【請求項８】
前記アクセス遅延量が前記目標遅延より短いときには前記上りアクセス送信電力に関わる値の現在値と隣接セルの上りアクセス送信電力に関わる値とを比較し、
前記上りアクセス送信電力に関わる値の比較結果に基づいて前記上りアクセス送信電力に関わる値の減少ステップ幅を変化させることを特徴とする請求項１−３のいずれか１項に記載の上りアクセス送信電力制御方法。
【請求項９】
前記上りアクセス送信電力に関わる値の現在値が隣接セルの上りアクセス送信電力に関わる値より低いときには第１減少ステップ幅で前記上りアクセス送信電力に関わる値を減少させ、
前記上りアクセス送信電力に関わる値の現在値が隣接セルの上りアクセス送信電力に関わる値より高いときには、前記第１減少ステップ幅よりも大きい第２減少ステップ幅で前記上りアクセス送信電力に関わる値を減少させる、
ことを特徴とする請求項８に記載の上りアクセス送信電力制御方法。
【請求項１０】
隣接セルから当該隣接セルの上りアクセス送信電力に関わる値を受信し、
前記アクセス遅延量が前記目標遅延より短いときには前記上りアクセス送信電力を低下させ、
前記アクセス遅延量が前記目標遅延より長いときには、前記隣接セルの上りアクセス送信電力に関わる値以下で前記上りアクセス送信電力に関わる値を増加させることを特徴とする請求項１−３のいずれか１項に記載の上りアクセス送信電力制御方法。
【請求項１１】
前記アクセス遅延量は、前記無線通信装置が自局セルから受信した上りアクセス制御信号の受信回数に基づいて算出されることを特徴とする請求項１−１０のいずれか１項に記載の上りアクセス送信電力制御方法。
【請求項１２】
前記アクセス遅延量は、前記無線通信装置の自局セルに位置する移動局が上りアクセス送信が成功するまでの上りアクセス送信回数あるいは経過時間に基づいて算出されることを特徴とする請求項１−１０のいずれか１項に記載の上りアクセス送信電力制御方法。
【請求項１３】
前記上りアクセス送信電力に関わる値は、上りアクセス送信電力、上りアクセス送信電力オフセット、および、増加あるいは減少のステップ幅、の少なくともいずれかであることを特徴とする請求項１−１２のいずれか１項に記載の上りアクセス送信電力制御方法。
【請求項１４】
複数のセルを有する無線通信システムの各セルを制御する無線通信装置における上りアクセス送信電力制御装置であって、
自局セルにおける上りアクセス遅延を検出する検出手段と、
前記上りアクセス遅延から求まるアクセス遅延量と目標遅延とを比較する比較手段と、
前記遅延比較結果に基づいて上りアクセス送信電力に関わる値を制御する制御手段と、
を有することを特徴とする上りアクセス送信電力制御装置。
【請求項１５】
前記制御手段は、前記アクセス遅延量が前記目標遅延に従うように前記上りアクセス送信電力に関わる値を制御することを特徴とする請求項１４に記載の上りアクセス送信電力制御装置。
【請求項１６】
前記目標遅延は前記無線通信装置ごとに設定されることを特徴とする請求項１４または１５に記載の上りアクセス送信電力制御装置。
【請求項１７】
前記制御手段は、前記アクセス遅延量が前記目標遅延より短いときには前記上りアクセス送信電力に関わる値を低下させ、前記アクセス遅延量が前記目標遅延より長いときには、所定の上限以下で前記上りアクセス送信電力に関わる値を増加させることを特徴とする請求項１４−１６のいずれか１項に記載の上りアクセス送信電力制御装置。
【請求項１８】
前記所定の上限は前記無線通信装置ごとに設定されることを特徴とする請求項１７に記載の上りアクセス送信電力制御装置。
【請求項１９】
隣接セルから当該隣接セルの上りアクセス送信電力に関わる値を受信する受信手段と、
前記上りアクセス送信電力に関わる値の現在値と前記隣接セルの上りアクセス送信電力に関わる値とを比較する上りアクセス送信電力比較手段と、
をさらに有し、
前記制御手段は、前記アクセス遅延量が前記目標遅延より短いときには前記上りアクセス送信電力に関わる値を低下させ、前記アクセス遅延量が前記目標遅延より長いときには前記上りアクセス送信電力に関わる値の比較結果に基づいて前記上りアクセス送信電力に関わる値の増加ステップ幅を変化させることを特徴とする請求項１４−１６のいずれか１項に記載の上りアクセス送信電力制御装置。
【請求項２０】
前記制御手段は、前記上りアクセス送信電力に関わる値の現在値が隣接セルの上りアクセス送信電力に関わる値より低いときには第１増加ステップ幅で前記上りアクセス送信電力に関わる値を増加させ、前記上りアクセス送信電力に関わる値の現在値が隣接セルの上りアクセス送信電力に関わる値より高いときには前記第１増加ステップ幅よりも小さい第２増加ステップ幅で前記上りアクセス送信電力に関わる値を増加させることを特徴とする請求項１９に記載の上りアクセス送信電力制御装置。
【請求項２１】
隣接セルから当該隣接セルの上りアクセス送信電力に関わる値を受信する受信手段と、
前記上りアクセス送信電力に関わる値の現在値と前記隣接セルの上りアクセス送信電力に関わる値とを比較する上りアクセス送信電力比較手段と、
をさらに有し、
前記制御手段は、前記アクセス遅延量が前記目標遅延より短いときには前記上りアクセス送信電力に関わる値の比較結果に基づいて前記上りアクセス送信電力に関わる値の減少ステップ幅を変化させることを特徴とする請求項１４−１６のいずれか１項に記載の上りアクセス送信電力制御装置。
【請求項２２】
前記制御手段は、前記上りアクセス送信電力に関わる値の現在値が隣接セルの上りアクセス送信電力に関わる値より低いときには第１減少ステップ幅で前記上りアクセス送信電力に関わる値を減少させ、前記上りアクセス送信電力に関わる値の現在値が隣接セルの上りアクセス送信電力に関わる値より高いときには、前記第１減少ステップ幅よりも大きい第２減少ステップ幅で前記上りアクセス送信電力に関わる値を減少させる、ことを特徴とする請求項２１に記載の上りアクセス送信電力制御装置。
【請求項２３】
隣接セルから当該隣接セルの上りアクセス送信電力に関わる値を受信する受信手段を更に有し、
前記制御手段は、前記アクセス遅延量が前記目標遅延より短いときには前記上りアクセス送信電力に関わる値を低下させ、前記アクセス遅延量が前記目標遅延より長いときには、前記隣接セルの上りアクセス送信電力に関わる値以下で前記上りアクセス送信電力に関わる値を増加させることを特徴とする請求項１４−１６のいずれか１項に記載の上りアクセス送信電力制御装置。
【請求項２４】
前記無線通信装置が自局セルから受信した上りアクセス制御信号の受信回数に基づいて前記アクセス遅延量を測定する測定手段を更に有することを特徴とする請求項１４−２３のいずれか１項に記載の上りアクセス送信電力制御装置。
【請求項２５】
前記無線通信装置の自局セルに位置する移動局が上りアクセス送信が成功するまでの上りアクセス送信回数あるいは経過時間に基づいて前記アクセス遅延量を測定する測定手段を更に有することを特徴とする請求項１４−２３のいずれか１項に記載の上りアクセス送信電力制御装置。
【請求項２６】
前記上りアクセス送信電力に関わる値は、上りアクセス送信電力、上りアクセス送信電力オフセット、および、増加あるいは減少のステップ幅、の少なくともいずれかであることを特徴とする請求項１４−２５のいずれか１項に記載の上りアクセス送信電力制御装置。
【請求項２７】
複数のセルを有する無線通信システムの各セルを制御する無線通信装置であって、
自局セルにおける上りアクセス遅延を検出する検出手段と、
前記上りアクセス遅延から求まるアクセス遅延量と目標遅延とを比較する比較手段と、
前記遅延比較結果に基づいて上りアクセス送信電力に関わる値を制御する制御手段と、
を有することを特徴とする無線通信装置。
【請求項２８】
複数のセルを有する無線通信システムであって、
前記複数のセルをそれぞれ制御する複数の無線通信装置を有し、
各無線通信装置が、
自局セルにおける上りアクセス遅延を検出する検出手段と、
前記上りアクセス遅延から求まるアクセス遅延量と目標遅延とを比較する比較手段と、
前記遅延比較結果に基づいて上りアクセス送信電力に関わる値を制御する制御手段と、
を有する、ことを特徴とする無線通信システム。
【請求項２９】
コンピュータを、
複数のセルを有する無線通信システムの各セルを制御する無線通信装置であって、
自局セルにおける上りアクセス遅延を検出する検出手段と、
前記上りアクセス遅延から求まるアクセス遅延量と目標遅延とを比較する比較手段と、
前記遅延比較結果に基づいて上りアクセス送信電力に関わる値を制御する制御手段と、
を有する無線通信装置として機能させるためのプログラム。
【発明の詳細な説明】
【技術分野】
【０００１】
本発明は複数の無線ゾーン（以下、セルという。）を有する無線通信システムに係り、特に上りアクセス制御信号の送信電力制御方法および装置に関する。
【背景技術】
【０００２】
移動体通信システムにおいて、基地局と移動局との間でデータ通信を行うためには、それらの間で予め同期を確立する必要がある。特に移動局からの初期アクセスは同期しているとは限らないのであるから、基地局は移動局の上り同期をとるための何らかの手順を必要とする。
【０００３】
３ＧＰＰ(3rd Generation Partnership Project)で標準化が進められているＬＴＥ(Long Term Evolution)では、上り同期および上りデータ送信を行うために、ランダムアクセスチャネル（ＲＡＣＨ：Random Access Channel）と上りリンク共有チャネル（ＵＬ−ＳＣＨ：Uplink-Shared Channel）とを用意している。ＲＡＣＨは、上り同期を確立するための制御信号を送信したり、更に上りデータ送信用のリソースを要求したりするためのチャネルである。大きな遅延無く上り同期を確立するためにはＲＡＣＨ送信の衝突確率はできるだけ小さく抑えることが望ましい（非特許文献１）。他方、ＵＬ−ＳＣＨはデータおよびレイヤ２／レイヤ３の制御パケットを送信するためのチャネルである。
【０００４】
図１（Ａ）はＬＴＥによる移動体通信システムの一般的な構成を模式的に示す図であり、図１（Ｂ）は周波数分割および時間分割に基づく無線リソースを模式的に示すリソース構成図である。
【０００５】
ＷＣＤＭＡ(Wideband Code Division Multiple Access)ではＲＡＣＨとＥＤＣＨ (Enhanced Dedicated Channel)とが異なる拡散およびスクランブルコードによって多重化され同一の周波数リソースを共有している。これに対してＬＴＥでは、図１（Ｂ）に示すような周波数分割および時間分割された複数のリソースがＲＡＣＨおよびＵＬ−ＳＣＨにより排他的に共有される。具体的には、ＬＴＥの上りリンクでは、システム帯域幅１０ＭＨｚが１ｍｓｅｃの時間間隔で時間分割され、さらに１．２５ＭＨｚ幅で周波数分割されたリソース構成を有する。図１（Ｂ）では、横軸のｔ１，ｔ２，・・・がそれぞれ１ｍｓｅｃの時間リソースに対応し、縦軸のＦＢ＃１、ＦＢ＃２・・・がそれぞれ１．２５ＭＨｚ幅の周波数リソースに対応する。以下、図１（Ｂ）に示すような１つの時間リソースと１つの周波数リソースで特定される１つの矩形のブロックを単に「リソース」という。
【０００６】
このようなシステムのリソースをＲＡＣＨおよびＵＬ−ＳＣＨにどのように割り当てるかは各基地局ｅＮＢによって決められる。通常、ＲＡＣＨリソースは、図１（Ｂ）に示すように、移動局ＵＥが大きな遅延無く基地局にアクセスできるように周期的に割り当てられる。同時に複数のＲＡＣＨリソースを割り当てて十分なＲＡＣＨアクセス容量を確保することも可能である。基地局ｅＮＢは、通常、このようなＲＡＣＨがどのリソースに割り当てられているかを示す情報をブロードキャストしている。したがって、当該セル内の全ての移動局ＵＥは、ブロードキャストされた情報に従って、必要な時にいつでもＲＡＣＨリソースにアクセスすることが可能となる。
【０００７】
当初ＬＴＥではＲＡＣＨとＵＬ−ＳＣＨとの間で同一の周波数帯域を共有しないことになっていたので、ＲＡＣＨの送信電力制御は必要ないという意見もあった。ＲＡＣＨとＵＬ−ＳＣＨとが周波数分割されている場合、ある移動局ＵＥが最大送信電力でＲＡＣＨ送信していても他の移動局ＵＥのＵＬ−ＳＣＨ送信への干渉は生じない。したがって、少なくとも同一セル内である限り干渉発生の観点からＲＡＣＨ送信電力を制御する大きな理由はない。
【０００８】
しかしながら、図１（Ｂ）に示すような複数のリソースがＲＡＣＨおよびＵＬ−ＳＣＨの間で排他的に共有され、リソース割り当てがセル毎に決定される場合には、隣接する一方のセルで１つのリソースがＲＡＣＨ送信に割り当てられ、それと同一のリソースが他方のセルではＵＬ−ＳＣＨ送信またはＲＡＣＨ送信に割り当てられることがあり得る。したがって、ある移動局ＵＥが最大送信電力で主セル(serving cell)へＲＡＣＨ送信している場合、隣接セルのＵＬ−ＳＣＨ送信またはＲＡＣＨ送信に干渉する可能性を無視できなくなる。このようなセル間での干渉を回避するためにＲＡＣＨ送信電力を何らかの方法で制御することが望ましい。
【０００９】
セル間干渉をできるだけ小さくするための１つの方法としてパワーランピング(Power Ramping)制御が提案されている（非特許文献１）。以下、パワーランピングによるＲＡＣＨ送信電力制御について簡単に説明する。
【００１０】
図２（Ａ）はＲＡＣＨによる上りアクセス手順を示すシーケンス図であり、図２（Ｂ）はＲＡＣＨによる同期が確立するまでのパワーランピングの一例を示す模式的なタイムチャートである。たとえば移動局ＵＥがデータを送信しようとする場合、まず移動局ＵＥは、基地局ｅＮＢによりブロードキャストされているＢＣＨ(Broadcast Channel)を受信することで初期係数ＫおよびＲＡＣＨリソース情報を取得し、パイロット信号（リファレンス信号）から測定されたパス損失ＰLOSSと初期係数Ｋとを用いて初期ＲＡＣＨ送信電力Ｐinitを算出する（たとえばＰinit＝Ｋ×ＰLOSS）。こうすることで、初期ＲＡＣＨ送信電力Ｐinitは、基地局ｅＮＢで受信されるＲＡＣＨ信号の受信品質が所望レベルに維持されるように設定される。移動局ＵＥは、このように設定された初期送信電力ＰinitでＲＡＣＨリソースを用いてＲＡＣＨ送信を行う。ＲＡＣＨ送信が基地局ｅＮＢに到達すると、基地局ｅＮＢはタイミング調整値を含むＲＡＣＨ応答を移動局ＵＥへ返し、これによって移動局ＵＥは物理レイヤでの同期を確立することができる。同期確立後に、移動局ＵＥは基地局ｅＮＢに対してスケジューリング要求を送信し、基地局ｅＮＢはその要求に対してＵＬ−ＳＣＨリソースを割り当てて送信許可ＧＲＡＮＴを返す。こうして移動局ＵＥは、割り当てられたＵＬ−ＳＣＨリソースを用いてデータパケットを送信する。
【００１１】
ところが干渉レベルの増大やフェージングの発生によりＲＡＣＨ信号が届かなかった場合、移動局ＵＥは所定時間が経過してもＲＡＣＨ応答を受信しないので、図２（Ｂ）に示すように、ＲＡＣＨ応答を受信するまでＲＡＣＨ送信電力を所定ステップＰdelずつ上昇させる（パワーランピング）。最初のＲＡＣＨ送信からＲＡＣＨ送信電力を順次上昇させる期間をパワーランピング期間(Power Ramping Period)、さらにＲＡＣＨ応答を受信して物理レイヤの同期が確立するまでの経過時間をＲＡＣＨアクセス遅延という。したがって、ＲＡＣＨ送信の衝突が生じるとＲＡＣＨアクセス遅延は大きくなる。
【００１２】
さらに、ＲＡＣＨアクセス遅延に加えて、物理レイヤの同期確立後に基地局ｅＮＢからスケジュールＧＲＡＮＴを受信して接続が確立するまでの合計の経過時間をＬＴＥ呼設定遅延(LTE Call Setup Delay)という。ＬＴＥ呼設定遅延は、システム性能の評価対象ＫＰＩ(Key Performance Indicator)ともなっている。
【００１３】
パワーランピングによるＲＡＣＨ送信電力制御によって、移動局ＵＥのＲＡＣＨ送信電力レベルは、隣接セルへの干渉を抑制しつつ基地局ｅＮＢでの十分なＲＡＣＨ受信品質を保証するように設定可能となる。たとえばパス損失が低い移動局ＵＥは、初期ＲＡＣＨ送信電力Ｐinitも低いレベルからパワーランピングを開始することができるので、パス損失の高い移動局ＵＥよりも低い送信電力のＲＡＣＨ送信で同期を確立でき、隣接セルへの上り干渉を有効に回避できる。
【００１４】
【非特許文献１】３ＧＰＰ  ＴＳ３６．３００  Ｖ．１．０．０（2007/3/19）
【発明の開示】
【発明が解決しようとする課題】
【００１５】
しかしながら、上述したパワーランピング制御では、隣接セル間で一旦ＲＡＣＨ干渉が生じると、次に説明するいわゆる「パーティ効果(party effect)」により、全てのセルで初期ＲＡＣＨ送信電力が次々に上昇するという現象が発生しうる。
【００１６】
図３（Ａ）は隣接セル間の干渉の様子を模式的に示す図、図３（Ｂ）はＲＡＣＨ干渉レベルに対するＲＡＣＨアクセス遅延の変化を示すグラフ、図３（Ｃ）はＲＡＣＨアクセス負荷に対するＲＡＣＨアクセス遅延の変化を示すグラフである。また図４は隣接セル間でのパーティ効果を説明するために平均ＲＡＣＨアクセス遅延およびＲＡＣＨ送信電力オフセット値の変化を示すタイムチャートである。
【００１７】
通常、ＲＡＣＨアクセスの失敗は呼設定あるいはハンドオーバ手順を遅延させるので、基地局はできるだけＲＡＣＨアクセス遅延を短くしようとする。ＲＡＣＨアクセス遅延は、上述したように初期ＲＡＣＨ送信電力の増大により短縮可能である。ここで、図３（Ａ）のセルＡで初期ＲＡＣＨ送信電力Ｐinitが増大したとする。この初期ＲＡＣＨ送信電力の増大は隣接セルＢのＲＡＣＨ干渉を増大する。セルＢの基地局ｅＮＢ２は、ＲＡＣＨ干渉が増大すると、ＲＡＣＨアクセス遅延を短くするために初期ＲＡＣＨ送信電力Ｐinitを増大させる。セルＢでの初期ＲＡＣＨ送信電力の増大は、それに隣接するセルＡおよびＣへの干渉を増大させる。セルＡおよびＣは、ＲＡＣＨ干渉が増大したので更に初期ＲＡＣＨ送信電力を増大させる、というように、原因と結果が隣接セル間で循環して初期ＲＡＣＨ送信電力がますます増大していく「パーティ効果」と呼ばれる現象を引き起こす。したがって、一旦干渉が生じると、隣接セル間で初期ＲＡＣＨ送信電力が次々と上昇し、これが連鎖して、結果的に全てのセルの初期ＲＡＣＨ送信電力Ｐinitが最大値に設定されてしまう。
【００１８】
図３（Ｂ）および（Ｃ）に示すように、一般に、ＲＡＣＨ干渉レベルが大きい程、あるいはＲＡＣＨアクセスの頻度が高くなる（負荷が増大する）程、ＲＡＣＨアクセス遅延が大きくなるという関係がある。ＲＡＣＨ干渉レベルは、たとえば自局セル内の移動局ＵＥからレポートされるＲＡＣＨ送信失敗回数（すなわち図２（Ｂ）に示すＲＡＣＨ応答を受信するまでのＲＡＣＨ送信回数）として測定できるので、これを用いてＲＡＣＨアクセス遅延を測定し、更に統計処理することで平均ＲＡＣＨアクセス遅延を求めることができる。またＲＡＣＨアクセス頻度（ＲＡＣＨアクセス負荷）は、自局セル内の移動局から基地局ｅＮＢ自身が受信したＲＡＣＨアクセス回数として測定できるので、これを同様に統計処理することで平均ＲＡＣＨアクセス遅延を求めることができる。
【００１９】
各基地局ｅＮＢは、このようにして測定されたＲＡＣＨアクセス遅延が上昇すると、図４に示すように、初期ＲＡＣＨ送信電力を順次上昇させるようにＲＡＣＨ送信電力オフセットを大きくする。これが上述した「パーティ効果」を引き起こし、結果的に全てのセルの初期ＲＡＣＨ送信電力が最大値に設定され、ネットワーク全体で上りリンク容量を劣化させる原因となる。
【００２０】
このような課題はＬＴＥに限られるものではなく、周波数分割および時間分割されたリソース構成のアクセス方式（ＦＴＤＭＡ）を用いるセル方式の無線通信システム一般で生じうる。特に、各セルを制御する基地局あるいは無線通信装置がそれぞれリソース割当制御を実行するシステムでは、ネットワーク全体でのＲＡＣＨ送信電力を自動的に調整する機構がない。このためにセル間干渉を調整することができず、上述したパーティ効果が生じやすくなる。
【００２１】
本発明の目的は、上記課題を解決しようとするものであり、セル間干渉を制御可能な上りアクセス送信電力制御方法および装置を提供することにある。
【００２２】
本発明の他の目的はネットワークのチューニングプロセスを自動化することができる上りアクセス送信電力制御方法および装置ならびに無線通信装置を提供することにある。
【課題を解決するための手段】
【００２３】
本発明による、複数のセルを有する無線通信システムの各セルを制御する無線通信装置における上りアクセス送信電力制御方法は、自局セルにおける上りアクセス遅延を検出し、
前記上りアクセス遅延から求まるアクセス遅延量と目標遅延とを比較し、前記遅延比較結果に基づいて上りアクセス送信電力に関わる値を制御することを特徴とする。
【発明の効果】
【００２４】
上述したように、本発明によれば、自局セルのアクセス遅延量と目標遅延との比較結果に基づいて自局セルの上りアクセス送信電力に関わる値を制御することで、セル間干渉が目標遅延を用いて制御可能となり、無線通信システムの上りアクセス送信電力制御を自動化できる。
【発明を実施するための最良の形態】
【００２５】
１．実施例の概略
以下、ＲＡＣＨ送信電力のオフセットの増減制御について説明するが、ＲＡＣＨ送信電力自体あるいは増減ステップ幅の増減制御も実質的には同じである。
１．１）第１実施例
図５は本発明の第１実施例による送信電力制御方法の概略を説明するための模式的なタイムチャートであり、（Ａ）は平均ＲＡＣＨアクセス遅延の時間変化の一例を示すタイムチャート、（Ｂ）はその平均ＲＡＣＨアクセス遅延に基づいて制御された初期ＲＡＣＨ送信オフセットの時間変化を示すタイムチャートである。
【００２６】
ネットワーク内の各セルを制御する無線通信装置には、予め目標ＲＡＣＨアクセス遅延(TargetRachDelay)、デフォルトの初期ＲＡＣＨ電力Ｐ０、および、最大初期ＲＡＣＨ送信電力オフセット(MaxInitRachPO)が設定されている。これらのパラメータはそれぞれのセルに応じて設定されるが、各無線通信装置を制御する制御局（ネットワークの保守管理サーバ、無線リソース制御サーバなど）によりそれぞれ設定されてもよいし、各無線通信装置の設置時に設定されてもよい。たとえば、目標ＲＡＣＨアクセス遅延(TargetRachDelay)はネットワーク内の各セルで共通であってもよいし、セル毎に設定されてもよい。またサイズの小さなセルではデフォルトの初期ＲＡＣＨ電力Ｐ０および／または最大初期ＲＡＣＨ送信電力オフセットが小さく設定されてもよい。
【００２７】
平均ＲＡＣＨアクセス遅延(AvRachDelay)は、一定の時間間隔で各無線通信装置により測定される。すでに述べたように、たとえば自局セル内の移動局からリポートされるＲＡＣＨ送信失敗回数（図２（Ｂ）に示すＲＡＣＨ応答を受信するまでのＲＡＣＨ送信回数）をＲＡＣＨ干渉レベルとして測定できるので、自局セル内の複数の移動局からレポートされるＲＡＣＨ送信失敗回数を統計処理することで平均ＲＡＣＨアクセス遅延を求めることができる。全ての移動局ＵＥが常時ＲＡＣＨ送信失敗回数をレポートする必要はないが、当該セルの有意義な平均ＲＡＣＨアクセス遅延を算出できる程度の移動局数およびレポート数であることが望ましい。このレポート情報は平均ＲＡＣＨアクセス遅延を算出するための情報であればよく、ＲＡＣＨ送信失敗回数の代わりに、図２（Ｂ）に示すＲＡＣＨアクセス遅延やパワーランピング期間の時間情報を用いることもできる。
【００２８】
また、このレポート情報は、たとえば移動局からのスケジューリング要求に含めて無線通信装置へ通知することができる。あるいは、スケジューリング要求で要求したよりも大きなリソースを割り当てられた場合あるいは送信データよりもリソースが大きい場合に、このレポート情報をパディングして無線通信装置へ送信することもできる。
【００２９】
移動局ＵＥがレポート情報を生成するのではなく、無線通信装置側あるいは基地局側で生成することもできる。たとえば自局セル内の移動局からのＲＡＣＨ送信を基地局ｅＮＢが完全に受信した回数（ＲＡＣＨアクセス回数）をＲＡＣＨアクセス頻度（ＲＡＣＨアクセス負荷）として測定できるので、これを同様に統計処理することで平均ＲＡＣＨアクセス遅延を求めることもできる。この方法では、移動局からのレポート無しに、無線通信装置だけで平均ＲＡＣＨアクセス遅延を求めることができるという利点がある。
【００３０】
図５（Ａ）に示すように、各無線通信装置は、平均ＲＡＣＨアクセス遅延(AvRachDelay)を一定の時間間隔で測定し、測定する毎に目標ＲＡＣＨアクセス遅延(TargetRachDelay)と比較する。この例では、時刻Ｔ１での平均ＲＡＣＨアクセス遅延は目標ＲＡＣＨアクセス遅延より低いが、時刻Ｔ２では高くなり、時刻Ｔ３では更に高くなっている。本実施例では、この比較結果に従って、平均ＲＡＣＨアクセス遅延が目標ＲＡＣＨアクセス遅延に従うように、最大初期ＲＡＣＨ送信電力オフセット(MaxInitRachPO)を上限として初期ＲＡＣＨ送信電力オフセット(InitRachPO)の増減制御が実行され、初期ＲＡＣＨ電力Ｐinitは、デフォルトの初期ＲＡＣＨ電力Ｐ０に初期ＲＡＣＨ送信電力オフセット(InitRachPO)を加えた値となる。ここで、デフォルトの初期ＲＡＣＨ電力Ｐ０は、例えば下りのパイロット信号の受信品質に基づいて求めることなどができる。
【００３１】
図５（Ｂ）に示すように、時刻Ｔ１で平均ＲＡＣＨアクセス遅延が目標ＲＡＣＨアクセス遅延より低いと判定されると、無線通信装置は、自局セルの初期ＲＡＣＨ送信電力オフセットを現在の値より所定ステップＰＤＥＬだけ低下させる。初期ＲＡＣＨ送信電力オフセットが小さくなることで、当該セルにアクセスしている移動局ＵＥは時刻Ｔ１〜Ｔ２までの間にＲＡＣＨアクセス遅延が大きくなる可能性が高くなる。これにより時刻Ｔ２で平均ＲＡＣＨアクセス遅延が目標ＲＡＣＨアクセス遅延より高いと判定されると、初期ＲＡＣＨ送信電力オフセットを現在の値より所定ステップＰＤＥＬだけ上昇させる。初期ＲＡＣＨ送信電力オフセットを上昇させたにも拘わらず、強いセル間干渉によって時刻Ｔ３でも平均ＲＡＣＨアクセス遅延が目標ＲＡＣＨアクセス遅延より高いままであると、無線通信装置は初期ＲＡＣＨ送信電力オフセットは更に所定ステップＰＤＥＬだけ上昇させる。
【００３２】
時刻Ｔ３で初期ＲＡＣＨ送信電力オフセットを上昇させてもほとんど効果がなかったとすると、時刻Ｔ４でも平均ＲＡＣＨアクセス遅延が依然として目標ＲＡＣＨアクセス遅延より高いと判定される。しかしながら、初期ＲＡＣＨ送信電力オフセットはすでに最大初期ＲＡＣＨ送信電力オフセットの近くまで上昇しているので、無線通信装置は、初期ＲＡＣＨ送信電力オフセットを最大初期ＲＡＣＨ送信電力オフセットと同レベルまで上昇させることしかできない。すなわち初期ＲＡＣＨ電力はこれ以上高く設定されない。
【００３３】
時刻Ｔ５でセル間干渉が低下し、平均ＲＡＣＨアクセス遅延が目標ＲＡＣＨアクセス遅延より低くなると、無線通信装置は初期ＲＡＣＨ送信電力オフセットを現在の値（ここでは最大初期ＲＡＣＨ送信電力オフセット）より所定ステップＰＤＥＬだけ低下させる。初期ＲＡＣＨ送信電力オフセットが低下させることで、隣接セルへのＲＡＣＨ干渉も減少するので隣接セルの無線通信装置も初期ＲＡＣＨ送信電力オフセットを低下させることができる。なお、初期ＲＡＣＨ送信電力オフセットの減少には下限を設定してもよい。
【００３４】
また平均ＲＡＣＨアクセス遅延(AvRachDelay)と目標ＲＡＣＨアクセス遅延(TargetRachDelay)とが等しい場合には、当該セルが干渉防止を優先するか、接続を優先するかに依存して初期ＲＡＣＨ送信電力オフセットの増加あるいは低下のいずれかに設定することができる。たとえば当該セルの無線通信装置が干渉防止を優先する場合には初期ＲＡＣＨ送信電力オフセットを低下させ、接続を有する場合には増加させればよい。あるいは、平均ＲＡＣＨアクセス遅延(AvRachDelay)と目標ＲＡＣＨアクセス遅延(TargetRachDelay)とが等しい場合には、初期ＲＡＣＨ送信電力オフセットを変化させないことも可能である。
【００３５】
このように初期ＲＡＣＨ送信電力オフセットに上限を設定することで、各セルの初期ＲＡＣＨ送信電力オフセットはそれぞれに設定された最大初期ＲＡＣＨ送信電力オフセット以下となり、すでに述べたパーティ効果を有効に回避することができる。
【００３６】
上述したように、最大初期ＲＡＣＨ送信電力オフセットはセル毎に設定可能であるが、この基準は、当該セルが干渉防止を優先するか、接続を優先するかによって決定することができる。たとえば当該セルの無線通信装置が干渉防止を優先する場合には、最大初期ＲＡＣＨ送信電力オフセットを低く設定すればよいし、接続を有する場合には、大きい最大初期ＲＡＣＨ送信電力オフセットを設定すればよい。
【００３７】
なお、平均ＲＡＣＨアクセス遅延の測定間隔と初期ＲＡＣＨ送信電力オフセットの更新間隔とを必ずしも一致させる必要はない。また、初期ＲＡＣＨ送信電力オフセット(InitRachPO)の増減ステップＰＤＥＬは、増加時と低下時とで同じステップ幅である必要はなく異なったステップ幅にすることも可能である。
【００３８】
具体的には、初期ＲＡＣＨ送信電力オフセットと最大初期ＲＡＣＨ送信電力オフセットとの差に依存して増加ステップ幅と減少ステップ幅とを変化させることもできる。たとえば、時刻Ｔ１およびＴ２では、初期ＲＡＣＨ送信電力オフセットと最大初期ＲＡＣＨ送信電力オフセットとの差が大きいので増減ステップＤＥＬを共に大きくし、時刻Ｔ３では初期ＲＡＣＨ送信電力オフセットが最大初期ＲＡＣＨ送信電力オフセットに近いレベルになっているので増加ステップ幅を小さくし、時刻Ｔ５では初期ＲＡＣＨ送信電力オフセットが最大初期ＲＡＣＨ送信電力オフセットと同レベルになっているので減少ステップ幅を大きくすることも可能である。
【００３９】
さらに、平均ＲＡＣＨアクセス遅延と目標ＲＡＣＨアクセス遅延との差に依存して増減ステップＰＤＥＬを変化させることもできる。たとえば、時刻Ｔ２での平均値と目標値との差は時刻Ｔ３での差よりも小さいので、時刻Ｔ２での増加ステップ幅を時刻Ｔ３でのソ連比べて小さくすることも可能である。いずれにしても本実施例では、初期ＲＡＣＨ送信電力オフセットが最大初期ＲＡＣＨ送信電力オフセットを超えることはできない。
【００４０】
なお、平均ＲＡＣＨアクセス遅延の代わりに、所定の割合のＲＡＣＨアクセス遅延が含まれる値（例えば９５％のＲＡＣＨアクセス遅延が含まれる９５％ＲＡＣＨアクセス遅延値）などのような他の基準を採用することもできる。
【００４１】
１．２）第２実施例
図６は本発明の第２実施例による送信電力制御方法の概略を説明するための模式的なタイムチャートであり、（Ａ）は平均ＲＡＣＨアクセス遅延の時間変化の一例を示すタイムチャート、（Ｂ）はその平均ＲＡＣＨアクセス遅延に基づいて制御された初期ＲＡＣＨ送信オフセットの時間変化を示すタイムチャートである。なお、図６（Ａ）に示す目標ＲＡＣＨアクセス遅延(TargetRachDelay)および平均ＲＡＣＨアクセス遅延(AvRachDelay)に関しては第１実施例と同様であるから説明は省略する。
【００４２】
第２実施例によれば、無線通信装置が自局セルの初期ＲＡＣＨ送信電力を設定あるいは更新しようとする場合、隣接セルの無線通信装置に対して新たな初期ＲＡＣＨ送信電力オフセットを通知する。隣接セルの初期ＲＡＣＨ送信電力オフセット（以下、隣接ＲＡＣＨ送信電力オフセット(NbrRachPO)という。）の通知を受け取ると、無線通信装置は、自局セルの初期ＲＡＣＨ送信電力オフセットを増加させる場合、それが隣接ＲＡＣＨ送信電力オフセット(NbrRachPO)より十分低い時には増加ステップ幅を大きく設定し、隣接ＲＡＣＨ送信電力オフセット(NbrRachPO)に近いレベルまで上昇している時あるいは超えた時には増加ステップ幅を小さく設定する。図３（Ｂ）および（Ｃ）に示すように、ＲＡＣＨアクセス遅延は、ＲＡＣＨ干渉レベルやＲＡＣＨアクセス負荷が小さい場合には大きな変化はないが、大きくなるに従って上昇率が増大する。したがって、平均ＲＡＣＨアクセス遅延が大きい場合と小さい場合とで初期ＲＡＣＨ送信電力オフセットの増加ステップ幅を変化させることが望ましい。
【００４３】
このように自局セルの初期ＲＡＣＨ送信電力オフセットが隣接ＲＡＣＨ電力オフセット(NbrRachPO)を超えようとする場合あるいは超えた場合には、無線通信装置は、より積極性の低いＲＡＣＨ送信電力オフセット制御を実行し、送信電力オフセットの増加に伴って増加ステップ幅を小さくする。これにより全てのセルのＲＡＣＨ送信電力オフセットが急に上昇するという事態を回避することができる。以下具体的に説明する。
【００４４】
図６（Ａ）および（Ｂ）に示すように、時刻Ｔ１で平均ＲＡＣＨアクセス遅延が目標ＲＡＣＨアクセス遅延より低いと判定されると、無線通信装置は、自局セルの初期ＲＡＣＨ送信電力オフセットを現在の値より所定ステップＰＤＥＬD1だけ低下させる。初期ＲＡＣＨ送信電力オフセットが小さくなることで、当該セルにアクセスしている移動局ＵＥは時刻Ｔ１〜Ｔ２までの間にＲＡＣＨアクセス遅延が大きくなる可能性が高くなる。これにより時刻Ｔ２で平均ＲＡＣＨアクセス遅延が目標ＲＡＣＨアクセス遅延より高いと判定されたとする。この場合、無線通信装置は、自局セルの初期ＲＡＣＨ送信電力オフセットが隣接ＲＡＣＨ電力オフセット(NbrRachPO)より低い場合には、初期ＲＡＣＨ送信電力オフセットを現在の値より所定ステップＰＤＥＬU1だけ上昇させる。初期ＲＡＣＨ送信電力オフセットを上昇させたにも拘わらず、強いセル間干渉などによって時刻Ｔ３でも平均ＲＡＣＨアクセス遅延が目標ＲＡＣＨアクセス遅延より高いままであり、かつ隣接ＲＡＣＨ電力オフセットよりも低いと、無線通信装置は、初期ＲＡＣＨ送信電力オフセットは更に所定ステップＰＤＥＬU1だけ上昇させる。
【００４５】
時刻Ｔ３で初期ＲＡＣＨ送信電力オフセットを上昇させてもほとんど効果がなかったとすると、時刻Ｔ４でも平均ＲＡＣＨアクセス遅延が依然として目標ＲＡＣＨアクセス遅延より高いと判定される。しかしながら、初期ＲＡＣＨ送信電力オフセットはすでに隣接ＲＡＣＨ送信電力オフセットの近くまで上昇しているので、無線通信装置は、初期ＲＡＣＨ送信電力オフセットを所定ステップＰＤＥＬU1より小さいステップ幅のＰＤＥＬU2だけ上昇させる。本実施例によれば、この上昇によって自局セルの初期ＲＡＣＨ送信電力オフセットが隣接ＲＡＣＨ電力オフセットを超えることも許容される。
【００４６】
時刻Ｔ５でセル間干渉が低下し、平均ＲＡＣＨアクセス遅延が目標ＲＡＣＨアクセス遅延より低くなると、無線通信装置は初期ＲＡＣＨ送信電力オフセットが隣接ＲＡＣＨ送信電力オフセットより大きければ、現在の値から所定ステップＰＤＥＬD2だけ低下させる。この時の低下ステップＰＤＥＬD2は、時刻Ｔ１の時の所定ステップＰＤＥＬD1よりも大きなステップ幅で有ることが望ましい。
【００４７】
このように自局セルの初期ＲＡＣＨ送信電力オフセットが隣接ＲＡＣＨ電力オフセット(NbrRachPO)を超えようとする場合には、増加ステップ幅をＰＤＥＬU1からＰＤＥＬU2へ縮小することで、全てのセルのＲＡＣＨ送信電力オフセットが同時に突然上昇するという事態を回避することができ、パーティ効果を有効に防止できる。
【００４８】
また、隣接ＲＡＣＨ送信電力オフセット(NbrRachPO)を超えたような高い状態から減少させる場合には、減少ステップ幅をＰＤＥＬD1からＰＤＥＬD2への拡大することで、結果的に隣接セルもＲＡＣＨ送信電力オフセットレベルを低下させ、干渉レベルを速やかに減少させることができる。なお、初期ＲＡＣＨ送信電力オフセットの増加および減少にはそれぞれ上限および下限を設定してもよい。
【００４９】
１．３）第３実施例
図７は本発明の第３実施例による送信電力制御方法の概略を説明するための模式的なタイムチャートであり、（Ａ）は平均ＲＡＣＨアクセス遅延の時間変化の一例を示すタイムチャート、（Ｂ）はその平均ＲＡＣＨアクセス遅延に基づいて制御された初期ＲＡＣＨ送信オフセットの時間変化を示すタイムチャートである。なお、図７（Ａ）に示す目標ＲＡＣＨアクセス遅延(TargetRachDelay)および平均ＲＡＣＨアクセス遅延(AvRachDelay)に関しては第１実施例と同様であるから説明は省略する。
【００５０】
第３実施例によれば、無線通信装置が自局セルの初期ＲＡＣＨ送信電力を設定あるいは更新しようとする場合、隣接セルの無線通信装置に対して新たな初期ＲＡＣＨ送信電力オフセットを通知する。隣接セルの初期ＲＡＣＨ送信電力オフセット（以下、隣接ＲＡＣＨ送信電力オフセット(NbrRachPO)という。）の通知を受け取ると、無線通信装置は、第１実施例の最大初期ＲＡＣＨ送信電力オフセットの代わりに隣接ＲＡＣＨ送信電力オフセット(NbrRachPO)を用いて初期ＲＡＣＨ送信電力オフセットの上限設定を行う。したがって、基本的動作は第１実施例と同様であり、各セルの初期ＲＡＣＨ送信電力オフセットはそれぞれの隣接セルのＲＡＣＨ送信電力オフセット(NbrRachPO)以下となり、パーティ効果を有効に回避することができる。
【００５１】
なお、図７（Ｂ）に示すように、初期ＲＡＣＨ送信電力オフセット(InitRachPO)の増加ステップＰＤＥＬUと減少ステップＰＤＥＬDとは、同じステップ幅であってもよいし、異なっていてもよい。
【００５２】
具体的には、初期ＲＡＣＨ送信電力オフセットと隣接ＲＡＣＨ送信電力オフセット(NbrRachPO)との差に依存して増加ステップＰＤＥＬUと減少ステップＰＤＥＬDとを変化させることもできる。たとえば、時刻Ｔ２では、初期ＲＡＣＨ送信電力オフセットと隣接ＲＡＣＨ送信電力オフセット(NbrRachPO)との差が大きいので増加ステップＰＤＥＬUを大きくし、時刻Ｔ３では初期ＲＡＣＨ送信電力オフセットが隣接ＲＡＣＨ電力オフセット(NbrRachPO)に近いレベルになっているので増加ステップ幅を小さくし、時刻Ｔ５では初期ＲＡＣＨ送信電力オフセットが隣接ＲＡＣＨ電力オフセット(NbrRachPO)と同レベルになっているので減少ステップＰＤＥＬDを大きくすることも可能である。
【００５３】
さらに、平均ＲＡＣＨアクセス遅延と目標ＲＡＣＨアクセス遅延との差に依存して増加ステップＰＤＥＬUと減少ステップＰＤＥＬDを変化させることもできる。たとえば、時刻Ｔ２での平均値と目標値との差は時刻Ｔ３での差よりも小さいので、時刻Ｔ２での増加ステップ幅を時刻Ｔ３でのそれに比べて小さくすることも可能である。いずれにしても本実施例では、初期ＲＡＣＨ送信電力オフセットが隣接ＲＡＣＨ電力オフセット(NbrRachPO)を超えることはできない。
【００５４】
１．４）変形例
図８は本発明の第２実施例の変形例による送信電力制御方法における平均ＲＡＣＨアクセス遅延に基づいて制御された初期ＲＡＣＨ送信オフセットの時間変化を示すタイムチャートである。なお、目標ＲＡＣＨアクセス遅延(TargetRachDelay)および平均ＲＡＣＨアクセス遅延(AvRachDelay)に関しては第２実施例の図７（Ａ）と同様であるから省略されている。
【００５５】
たとえば図３（Ａ）に示すようにセルＢに隣接するセルＡおよびＣが存在している場合、セルＢを制御する無線通信装置は、図８に例示するように、隣接セルＡおよびＣからそれぞれ隣接ＲＡＣＨ送信電力オフセットNbrRachPO#AおよびNbrRachPO#Cを受け取り、このいずれか１つを基準として選択すればよい。いずれを選択するかは、干渉防止を優先するか、接続を優先するかによって決定することができる。たとえばセルＢの無線通信装置が干渉防止を優先する場合には、小さい方の隣接ＲＡＣＨ送信電力オフセット（ここではNbrRachPO#A）を基準として選択し、接続を有する場合には、大きい方の隣接ＲＡＣＨ送信電力オフセット（ここではNbrRachPO#C）を基準として選択すればよい。あるいは、干渉防止優先と接続優先との間の基準として複数の隣接ＲＡＣＨ送信電力オフセットの平均値を利用することもできる。
【００５６】
なお、図８に示す変形例は、第３実施例における隣接ＲＡＣＨ送信電力オフセットについても同様に適用できる。
【００５７】
また、複数の隣接セルが存在する場合、常時全ての隣接セルの隣接ＲＡＣＨ送信電力オフセットNbrRachPOを参照する必要があるとは限らない。たとえば、セルＢのＲＡＣＨリソースがセルＣのＲＡＣＨリソースと異なる場合には、セルＢとセルＣとの間でＲＡＣＨ送信電力の調整をしなくてもよいからである。したがって、第２実施例および第３実施例においては、隣接セル間で互いに自局のＲＡＣＨリソース情報を通知し、互いのＲＡＣＨリソースが一致あるいは近い位置に存在する場合に上述したＲＡＣＨ送信電力制御を行うのが望ましい。
【００５８】
２．システム構成
図９は本発明を実装した無線通信装置を含む無線通信システムの概略的構成例を示すブロック図である。ここでは無線通信装置１０−１２を含む複数の無線通信装置がネットワーク１３により通信可能に接続され、さらにネットワーク１３を通して各無線通信装置が制御局１４によって制御されるものとする。制御局１４は、ネットワーク１３を制御する中央局、ネットワークの保守管理を行うＯ＆Ｍサーバ、あるいは無線リソースの管理を行うＲＲＭサーバなどである。
【００５９】
また、無線通信装置１０−１２はそれぞれセルＡ、ＢおよびＣの上りおよび下りリンクのリソース割当を制御し、セルＡ−Ｃは、図１（Ｂ）に示す基本的なリソース構成を有するものとする。上述した各実施例によるＲＡＣＨ送信電力制御は各無線通信装置により実行される。なお、ネットワーク１３で接続された複数の無線通信装置は１つの基地局ｅＮＢに含まれてもよいし、各無線通信装置がそれぞれ１つの基地局ｅＮＢであってもよい。以下、無線通信装置および移動局の構成および動作を説明する。
【００６０】
２．１）無線通信装置
図１０は本発明によるＲＡＣＨ送信電力制御装置を実装した無線通信装置の構成を示すブロック図である。ただし、図を煩雑にしないために、ここでは本発明によるＲＡＣＨ送信電力制御に関係する回路部分を図示している。
【００６１】
無線通信装置は、自局セル内の複数の移動局ＵＥと無線通信する物理層デバイスとしての無線送受信部１００および多重分離部１０１を有する。多重分離部１０１は上りリンクＵＬからＲＡＣＨチャネルを分離し、ＲＡＣＨチャネルのＲＡＣＨ信号はＲＡＣＨデコーダ１０２により復号される。各移動局ＵＥからＲＡＣＨ信号を完全に受信すると、ＲＡＣＨ遅延測定部１０３がＲＡＣＨ受信回数を統計処理することで、すでに述べたように平均ＲＡＣＨアクセス遅延を求めることができる。ただし、移動局ＵＥからスケジューリング要求と共にＲＡＣＨ送信失敗回数がレポートされる場合、ＲＡＣＨアクセス遅延測定部１０３は、後述するスケジューラ１１０およびＵＬ／ＤＬ−ＳＣＨ制御部１１１を通してＲＡＣＨ送信失敗回数を受け取り、それを統計処理することで平均ＲＡＣＨアクセス遅延を求めることも可能である。
【００６２】
ＲＡＣＨ送信電力制御部１０４は、上述した各実施例に従って自局セルにおける初期ＲＡＣＨ送信電力を制御する。設定値メモリ１０５には各実施例で使用される各種設定値が格納されている。たとえば第１実施例の場合には、設定値メモリ１０５に目標ＲＡＣＨアクセス遅延(TargetRachDelay)および最大初期ＲＡＣＨ送信電力オフセット(MaxInitRachPO)が格納され、ＲＡＣＨ送信電力制御部１０４は平均ＲＡＣＨアクセス遅延(AvRachDelay)と目標ＲＡＣＨアクセス遅延(TargetRachDelay)とを比較し、この比較結果に従って、最大初期ＲＡＣＨ送信電力オフセット(MaxInitRachPO)を上限として初期ＲＡＣＨ送信電力オフセット(InitRachPO)の増減制御を実行する。また第２実施例の場合には、設定値メモリ１０５に目標ＲＡＣＨアクセス遅延(TargetRachDelay)および隣接ＲＡＣＨ送信電力オフセット(NbrRachPO)が格納され、ＲＡＣＨ送信電力制御部１０４は平均ＲＡＣＨアクセス遅延(AvRachDelay)と目標ＲＡＣＨアクセス遅延(TargetRachDelay)との比較および初期ＲＡＣＨ送信電力オフセット(InitRachPO)と隣接ＲＡＣＨ送信電力オフセット(NbrRachPO)との比較を行い、これらの比較結果に従って初期ＲＡＣＨ送信電力オフセット(InitRachPO)の増減制御を実行する。なお、ＲＡＣＨ送信電力制御部１０４は、メイン制御部１０６とともに、プログラム制御プロセッサあるいはコンピュータ上でプログラムを実行することにより実現することもできる。
【００６３】
メイン制御部１０６は無線通信装置全体の動作制御を実行する。本発明との関連では、メイン制御部１０６は、隣接セルの無線通信装置からインターフェース１０７を通して隣接セルでのＲＡＣＨリソースおよび隣接ＲＡＣＨ電力オフセット(NbrRachPO)などの情報を受け取り、設定値メモリ１０５へ格納する。さらに、制御局からインターフェース１０８を通して目標ＲＡＣＨアクセス遅延(TargetRachDelay)および最大初期ＲＡＣＨ送信電力オフセット(MaxInitRachPO)を受け取って設定値メモリ１０５に格納する。
【００６４】
またメイン制御部１０６は、ＲＡＣＨ送信電力制御部１０４によって設定された初期ＲＡＣＨ送信電力オフセットをＢＣＨ送信制御部１０９によって自局セルにブロードキャストし、これにより各移動局のＲＡＣＨ送信が可能となる。
【００６５】
ＲＡＣＨ手順により移動局ＵＥとの間で同期が確立しデータ送信用のリソース割当も完了すると、制御局からインターフェース１０８を通して受信した下りデータは、スケジューラ１１０およびＵＬ／ＤＬ−ＳＣＨ制御部１１１を通して当該移動局へ送信され、この移動局からの上りデータはＵＬ／ＤＬ−ＳＣＨ制御部１１１およびスケジューラ１１０を通して制御局へ送信される。
【００６６】
２．２）移動局
図１１は図９に示す移動局の構成を示すブロック図である。移動局ＵＥは、基地局ｅＮＢあるいは無線通信装置と無線通信する物理層デバイスとしての無線送受信部２００および多重分離部２０１を有する。無線送受信部２００および多重分離部２０１は、無線通信装置からブロードキャストされているＲＡＣＨリソース情報および初期ＲＡＣＨ送信電力情報を受信する。これらのＲＡＣＨ関連情報はＢＣＨ受信制御部２０２およびメイン制御部２０３を通してＲＡＣＨ制御部２０４へ出力される。ＲＡＣＨ制御部２０４は、ＲＡＣＨリソース情報および初期ＲＡＣＨ送信電力情報に従って、ＲＡＣＨ信号をＲＡＣＨエンコーダ２０５から多重分離部２０１へ出力し、多重分離部２０１により多重化され所定のＲＡＣＨリソースでＲＡＣＨ送信を行う。ＲＡＣＨ制御部２０４は、このＲＡＣＨ送信に対する応答を無線通信装置から受信することで上り同期を確立する。
【００６７】
ＵＬ／ＤＬ−ＳＣＨ制御部２０６は、たとえば上りデータ発生時にスケジュール要求を生成し無線送受信部２００および多重分離部２０１により送信する。スケジュール要求に対する応答として無線通信装置からスケジュール許可を受信すると、ＵＬ／ＤＬ−ＳＣＨ制御部２０６は、上位レイヤから入力した送信データを多重分離部２０１へ出力し、割り当てられたＵＬ−ＳＣＨリソースを用いて無線送受信部２００を通して送信する。
【００６８】
なお、ＲＡＣＨ制御部２０４は、ＲＡＣＨ送信に対するＲＡＣＨ応答を受信するまでのＲＡＣＨ送信失敗回数あるいは経過時間（パワーランピング期間）をカウントし、そのカウント値を平均ＲＡＣＨアクセス遅延を算出するための情報として無線通信装置へ通知する。
【００６９】
３．実施例の動作
次に、図１０に示す無線通信装置におけるＲＡＣＨ送信電力制御動作の具体例をフローチャートを参照しながら詳細に説明する。なお、以下説明する制御フロー機能は、プログラム制御プロセッサあるいはコンピュータ上でプログラムを実行することにより実現することもできる。
【００７０】
３．１）第１実施例の動作
図１２は本発明の第１実施例によるＲＡＣＨ送信電力制御方法を示すフローチャートである。このフローチャートを参照しながら、図５に示す第１実施例の具体的動作をさらに詳細に説明する。本実施例では、設定値メモリ１０５に目標ＲＡＣＨアクセス遅延(TargetRachDelay)、最大初期ＲＡＣＨ送信電力オフセット(MaxInitRachPO)および下限初期ＲＡＣＨ送信電力オフセット(LowerLimitInitRachPO)が格納されているものとする。
【００７１】
無線通信装置のメイン制御部１０６は、ＲＡＣＨアクセス遅延測定部１０３を制御して平均ＲＡＣＨアクセス遅延(AvRachDelay)を一定の時間間隔で測定する（図５参照）。ＲＡＣＨ送信電力制御部１０４は、測定された平均ＲＡＣＨアクセス遅延(AvRachDelay)と目標ＲＡＣＨアクセス遅延(TargetRachDelay)とを比較する（ステップＳ３０１）。平均ＲＡＣＨアクセス遅延(AvRachDelay)が目標ＲＡＣＨアクセス遅延(TargetRachDelay)以下、すなわちAvRachDelay≦TargetRachDelayであれば（ステップＳ３０１のＮｏ）、自局セルの初期ＲＡＣＨ送信電力オフセット(InitRachPO)を現在のレベルから所定ステップＰＤＥＬDだけ減少させる（ステップＳ３０２）。ただし、下限初期ＲＡＣＨ電力オフセット(LowerLimitInitRachPO)を下限値として設定してもよい。なお、当該無線通信装置が干渉防止よりも接続優先であれば、ステップＳ３０１において、AvRachDelay≧TargetRachDelayであるか否かを判断してもよい。
【００７２】
平均ＲＡＣＨアクセス遅延(AvRachDelay)が目標ＲＡＣＨアクセス遅延(TargetRachDelay)より大きい（AvRachDelay＞TargetRachDelay）ならば（ステップＳ３０１のＹｅｓ）、続いてＲＡＣＨ送信電力制御部１０４は、現在の初期ＲＡＣＨ送信電力オフセット(InitRachPO)が最大初期ＲＡＣＨ送信電力オフセット(MaxInitRachPO)より小さいか否かを判断する（ステップＳ３０３）。現在の初期ＲＡＣＨ送信電力オフセット(InitRachPO)がすでに最大初期ＲＡＣＨ送信電力オフセット(MaxInitRachPO)に設定されているならば（ステップＳ３０３のＮｏ）、処理を終了する。現在の初期ＲＡＣＨ送信電力オフセット(InitRachPO)が最大初期ＲＡＣＨ送信電力オフセット(MaxInitRachPO)より小さいならば（ステップＳ３０３のＹｅｓ）、ＲＡＣＨ送信電力制御部１０４は、さらに、現在の初期ＲＡＣＨ送信電力オフセット(InitRachPO)を所定ステップＰＤＥＬUだけ増加させたならば最大初期ＲＡＣＨ送信電力オフセット(MaxInitRachPO)を超えるか否かを判断する（ステップＳ３０４）。このステップＳ３０４は、現在の初期ＲＡＣＨ送信電力オフセット(InitRachPO)が最大初期ＲＡＣＨ送信電力オフセット(MaxInitRachPO)に近いレベルまで上昇しているか否かを判断する方法の一例である。
【００７３】
InitRachPO＋ＰＤＥＬUがMaxInitRachPO以下であれば（ステップＳ３０４のＹｅｓ）、ＲＡＣＨ送信電力制御部１０４は現在の初期ＲＡＣＨ送信電力オフセット(InitRachPO)を所定ステップＰＤＥＬUだけ増加させる（ステップＳ３０５）。これを受けて、メイン制御部１０６はＢＣＨ送信制御部１０９を制御し、自局セルの新たな初期ＲＡＣＨ送信電力オフセット(InitRachPO)をブロードキャストする。
【００７４】
InitRachPO＋ＰＤＥＬUがMaxInitRachPOを超える場合には（ステップＳ３０４のＮｏ）、ＲＡＣＨ送信電力制御部１０４は現在の初期ＲＡＣＨ送信電力オフセット(InitRachPO)を最大初期ＲＡＣＨ送信電力オフセット(MaxInitRachPO)に設定する（ステップＳ３０６）。これを受けて、メイン制御部１０６はＢＣＨ送信制御部１０９を制御し、自局セルの新たな初期ＲＡＣＨ送信電力オフセット(InitRachPO)をブロードキャストする。
【００７５】
このような第１実施例により、各セルの初期ＲＡＣＨ送信電力オフセット(InitRachPO)を図５に例示するように制御することができ、ネットワーク全体でＲＡＣＨ送信電力の自動調整が可能となる。
【００７６】
３．２）第２実施例の動作
図１３は本発明の第２実施例によるＲＡＣＨ送信電力制御方法を示すフローチャートである。このフローチャートを参照しながら、図６に示す第２実施例の具体的動作をさらに詳細に説明する。本実施例では、設定値メモリ１０５に目標ＲＡＣＨアクセス遅延(TargetRachDelay)、隣接ＲＡＣＨ送信電力オフセット(NbrRachPO)、上限初期ＲＡＣＨ送信電力オフセット(UpperLimitMaxInitRachPO)および下限初期ＲＡＣＨ送信電力オフセット(LowerLimitInitRachPO)が格納されているものとする。なお、複数の隣接セルから隣接ＲＡＣＨ送信電力オフセット(NbrRachPO)を通知された場合は、すでに述べたように干渉回避と接続のいずれを優先するかによって、最も大きいあるいは最も小さい隣接ＲＡＣＨ送信電力オフセットを１つ選択すればよい。また平均値を取るとしても良い。
【００７７】
無線通信装置のメイン制御部１０６は、ＲＡＣＨアクセス遅延測定部１０３を制御して平均ＲＡＣＨアクセス遅延(AvRachDelay)を一定の時間間隔で測定する（図６参照）。ＲＡＣＨ送信電力制御部１０４は、測定された平均ＲＡＣＨアクセス遅延(AvRachDelay)と目標ＲＡＣＨアクセス遅延(TargetRachDelay)とを比較する（ステップＳ４０１）。平均ＲＡＣＨアクセス遅延(AvRachDelay)が目標ＲＡＣＨアクセス遅延(TargetRachDelay)以下、すなわちAvRachDelay≦TargetRachDelayであれば（ステップＳ４０１のＮｏ）、続いてＲＡＣＨ送信電力制御部１０４は、現在の初期ＲＡＣＨ送信電力オフセット(InitRachPO)が隣接ＲＡＣＨ送信電力オフセット(NbrRachPO)以上であるか否かを判断する（ステップＳ４０２）。
【００７８】
自局セルの初期ＲＡＣＨ送信電力オフセット(InitRachPO)が隣接ＲＡＣＨ送信電力オフセット(NbrRachPO)のレベルより小さいならば（ステップＳ４０２のＮｏ）、ＲＡＣＨ送信電力制御部１０４は現在の初期ＲＡＣＨ送信電力オフセット(InitRachPO)を所定ステップＰＤＥＬD1だけ減少させる（ステップＳ４０３）。自局セルの初期ＲＡＣＨ送信電力オフセット(InitRachPO)が隣接ＲＡＣＨ送信電力オフセット(NbrRachPO)のレベル以上ならば（ステップＳ４０２のＹｅｓ）、ＲＡＣＨ送信電力制御部１０４は現在の初期ＲＡＣＨ送信電力オフセット(InitRachPO)を所定ステップＰＤＥＬD2だけ減少させる（ステップＳ４０４）。ただし、ステップＳ４０３およびＳ４０４では下限初期ＲＡＣＨ送信電力オフセット(LowerLimitInitRachPO)を下限値として設定してもよい。
【００７９】
ＰＤＥＬD2＞ＰＤＥＬD1に設定することで、自局セルの初期ＲＡＣＨ送信電力オフセット(InitRachPO)が高い値であるほど、減少幅を大きくすることができ、干渉レベルを速やかに減少させることができる。
【００８０】
平均ＲＡＣＨアクセス遅延(AvRachDelay)が目標ＲＡＣＨアクセス遅延(TargetRachDelay)より大きい（AvRachDelay＞TargetRachDelay）ならば（ステップＳ４０１のＹｅｓ）、続いてＲＡＣＨ送信電力制御部１０４は、現在の初期ＲＡＣＨ送信電力オフセット(InitRachPO)が隣接ＲＡＣＨ送信電力オフセット(NbrRachPO)以上であるか否かを判断する（ステップＳ４０５）。
【００８１】
自局セルの初期ＲＡＣＨ送信電力オフセット(InitRachPO)が隣接ＲＡＣＨ送信電力オフセット(NbrRachPO)のレベルより小さいならば（ステップＳ４０５のＮｏ）、ＲＡＣＨ送信電力制御部１０４は、さらに、現在の初期ＲＡＣＨ送信電力オフセット(InitRachPO)を所定ステップＰＤＥＬU1だけ増加させたならば隣接ＲＡＣＨ送信電力オフセット(NbrRachPO)を超えるか否かを判断する（ステップＳ４０６）。このステップＳ４０６は、現在の初期ＲＡＣＨ送信電力オフセット(InitRachPO)が隣接ＲＡＣＨ送信電力オフセット(NbrRachPO)に近いレベルまで上昇しているか否かを判断する方法の一例である。
【００８２】
InitRachPO＋ＰＤＥＬU1がNbrRachPO以下であれば（ステップＳ４０６のＮｏ）、ＲＡＣＨ送信電力制御部１０４は現在の初期ＲＡＣＨ送信電力オフセット(InitRachPO)を所定ステップＰＤＥＬU1だけ増加させる（ステップＳ４０７）。これを受けて、メイン制御部１０６はＢＣＨ送信制御部１０９を制御し、自局セルの新たな初期ＲＡＣＨ送信電力オフセット(InitRachPO)をブロードキャストする。
【００８３】
自局セルの初期ＲＡＣＨ送信電力オフセット(InitRachPO)が隣接ＲＡＣＨ送信電力オフセット(NbrRachPO)のレベル以上である場合（ステップＳ４０５のＹｅｓ）あるいはInitRachPO＋ＰＤＥＬU1がNbrRachPOを超える場合には（ステップＳ４０６のＹｅｓ）、ＲＡＣＨ送信電力制御部１０４は現在の初期ＲＡＣＨ送信電力オフセット(InitRachPO)を所定ステップＰＤＥＬU2だけ増加させる（ステップＳ４０８）。ただし、ステップＳ４０８では上限初期ＲＡＣＨ送信電力オフセット(UpperLimitMaxInitRachPO)を上限値として設定してもよい。
【００８４】
ＰＤＥＬU1＞ＰＤＥＬU2に設定することで、自局セルの初期ＲＡＣＨ送信電力オフセット(InitRachPO)が高い値であるほど、増加幅を小さくすることができ、隣接セルの干渉レベルが突然に上昇する事態を回避することができる。
【００８５】
このように初期ＲＡＣＨ送信電力オフセットが設定されると、これを受けてメイン制御部１０６はＢＣＨ送信制御部１０９を制御し、自局セルの新たな初期ＲＡＣＨ送信電力オフセット(InitRachPO)をブロードキャストする。
【００８６】
上述した第２実施例により、各セルの初期ＲＡＣＨ送信電力オフセット(InitRachPO)を図６に例示するように制御することができ、ネットワーク全体でＲＡＣＨ送信電力の自動調整が可能となる。
【００８７】
３．３）第３実施例の動作
図１４は本発明の第３実施例によるＲＡＣＨ送信電力制御方法を示すフローチャートである。このフローチャートを参照しながら、図７に示す第３実施例の具体的動作をさらに詳細に説明する。本実施例では、設定値メモリ１０５に目標ＲＡＣＨアクセス遅延(TargetRachDelay)、隣接ＲＡＣＨ送信電力オフセット(NbrRachPO)、下限初期ＲＡＣＨ送信電力オフセット(LowerLimitInitRachPO)が格納されているものとする。なお、複数の隣接セルから隣接ＲＡＣＨ送信電力オフセット(NbrRachPO)を通知された場合は、すでに述べたように干渉回避と接続のいずれを優先するかによって、最も大きいあるいは最も小さい隣接ＲＡＣＨ送信電力オフセットを１つ選択すればよい。
【００８８】
無線通信装置のメイン制御部１０６は、ＲＡＣＨアクセス遅延測定部１０３を制御して平均ＲＡＣＨアクセス遅延(AvRachDelay)を一定の時間間隔で測定する（図５参照）。ＲＡＣＨ送信電力制御部１０４は、測定された平均ＲＡＣＨアクセス遅延(AvRachDelay)と目標ＲＡＣＨアクセス遅延(TargetRachDelay)とを比較する（ステップＳ５０１）。平均ＲＡＣＨアクセス遅延(AvRachDelay)が目標ＲＡＣＨアクセス遅延(TargetRachDelay)以下、すなわちAvRachDelay≦TargetRachDelayであれば（ステップＳ５０１のＮｏ）、自局セルの初期ＲＡＣＨ送信電力オフセット(InitRachPO)を現在のレベルから所定ステップＰＤＥＬDだけ減少させる（ステップＳ５０２）。ただし、下限初期ＲＡＣＨ電力オフセット(LowerLimitInitRachPO)を下限値として設定してもよい。なお、当該無線通信装置が干渉防止よりも接続優先であれば、ステップＳ５０１において、AvRachDelay≧TargetRachDelayであるか否かを判断してもよい。
【００８９】
平均ＲＡＣＨアクセス遅延(AvRachDelay)が目標ＲＡＣＨアクセス遅延(TargetRachDelay)より大きい（AvRachDelay＞TargetRachDelay）ならば（ステップＳ５０１のＹｅｓ）、続いてＲＡＣＨ送信電力制御部１０４は、現在の初期ＲＡＣＨ送信電力オフセット(InitRachPO)が隣接ＲＡＣＨ送信電力オフセット(NbrRachPO)より小さいか否かを判断する（ステップＳ５０３）。現在の初期ＲＡＣＨ送信電力オフセット(InitRachPO)がすでに隣接ＲＡＣＨ送信電力オフセット(NbrRachPO)に設定されているならば（ステップＳ５０３のＮｏ）、処理を終了する。現在の初期ＲＡＣＨ送信電力オフセット(InitRachPO)が隣接ＲＡＣＨ送信電力オフセット(NbrRachPO)より小さいならば（ステップＳ５０３のＹｅｓ）、ＲＡＣＨ送信電力制御部１０４は、さらに、現在の初期ＲＡＣＨ送信電力オフセット(InitRachPO)を所定ステップＰＤＥＬUだけ増加させたならば隣接ＲＡＣＨ電力オフセット(NbrRachPO)を超えるか否かを判断する（ステップＳ５０４）。このステップＳ５０４は、現在の初期ＲＡＣＨ送信電力オフセット(InitRachPO)が隣接ＲＡＣＨ送信電力オフセット(NbrRachPO)に近いレベルまで上昇しているか否かを判断する方法の一例である。
【００９０】
InitRachPO＋ＰＤＥＬUがNbrRachPO以下であれば（ステップＳ５０４のＹｅｓ）、ＲＡＣＨ送信電力制御部１０４は現在の初期ＲＡＣＨ送信電力オフセット(InitRachPO)を所定ステップＰＤＥＬUだけ増加させる（ステップＳ５０５）。これを受けて、メイン制御部１０６はＢＣＨ送信制御部１０９を制御し、自局セルの新たな初期ＲＡＣＨ送信電力オフセット(InitRachPO)をブロードキャストする。
【００９１】
InitRachPO＋ＰＤＥＬUがNbrRachPOを超える場合には（ステップＳ５０４のＮｏ）、ＲＡＣＨ送信電力制御部１０４は現在の初期ＲＡＣＨ送信電力オフセット(InitRachPO)を隣接ＲＡＣＨ送信電力オフセット(NbrRachPO)に設定する（ステップＳ５０６）。これを受けて、メイン制御部１０６はＢＣＨ送信制御部１０９を制御し、自局セルの新たな初期ＲＡＣＨ送信電力オフセット(InitRachPO)をブロードキャストする。
【００９２】
このような第３実施例により、各セルの初期ＲＡＣＨ送信電力オフセット(InitRachPO)を図７に例示するように制御することができ、ネットワーク全体でＲＡＣＨ送信電力の自動調整が可能となる。
なお、上述の実施例２、３においては、隣接ＲＡＣＨ送信電力オフセットと比較して平均ＲＡＣＨアクセス遅延の値が大きいか小さいかを基準に判断していた。これを、隣接ＲＡＣＨ送信電力オフセットの定数倍や一定値を加算または減算した値と、平均ＲＡＣＨアクセス遅延の値が大きいか小さいかを基準に判断するようにすることも可能である。
【００９３】
４．適用例
上述した本発明の各実施例は、ＬＴＥによる移動体通信システムに適用可能である。
【００９４】
図１５は本発明を適用した移動体通信システムの概略的ネットワーク図である。ここでは、複数の基地局ｅＮＢが値とワーク６０１に接続され、中央局あるいは制御局としてのゲートウェイ６０２を介してインターネットに代表される外部ネットワーク６０３に接続可能である。複数の基地局ｅＮＢに各々にはＯ＆Ｍサーバ６０４から各種設定パラメータが設定され、上述した各実施例によるＲＡＣＨ送信電力制御が実行される。これによって、ネットワーク全体でＲＡＣＨ送信電力の自動調整が可能となり、ネットワークのチューニングプロセスを自動化することができる。
【産業上の利用可能性】
【００９５】
本発明はセル間干渉が生じうる無線通信システム、特に周波数分割および時間分割されたリソース構成のアクセス方式（ＦＴＤＭＡ）を用いる移動体通信システムに適用可能である。
【図面の簡単な説明】
【００９６】
【図１】（Ａ）はＬＴＥによる移動体通信システムの一般的な構成を模式的に示す図であり、（Ｂ）は周波数分割および時間分割に基づく無線リソースを模式的に示すリソース構成図である。
【図２】（Ａ）はＲＡＣＨによる上りアクセス手順を示すシーケンス図であり、（Ｂ）はＲＡＣＨによる同期が確立するまでのパワーランピングの一例を示す模式的なタイムチャートである。
【図３】（Ａ）は隣接セル間の干渉の様子を模式的に示す図、（Ｂ）はＲＡＣＨ干渉レベルに対するＲＡＣＨアクセス遅延の変化を示すグラフ、（Ｃ）はＲＡＣＨアクセス負荷に対するＲＡＣＨアクセス遅延の変化を示すグラフである。
【図４】隣接セル間でのパーティ効果を説明するために平均ＲＡＣＨアクセス遅延およびＲＡＣＨ送信電力オフセット値の変化を示すタイムチャートである。
【図５】本発明の第１実施例による送信電力制御方法の概略を説明するための模式的なタイムチャートであり、（Ａ）は平均ＲＡＣＨアクセス遅延の時間変化の一例を示すタイムチャート、（Ｂ）はその平均ＲＡＣＨアクセス遅延に基づいて制御された初期ＲＡＣＨ送信オフセットの時間変化を示すタイムチャートである。
【図６】本発明の第２実施例による送信電力制御方法の概略を説明するための模式的なタイムチャートであり、（Ａ）は平均ＲＡＣＨアクセス遅延の時間変化の一例を示すタイムチャート、（Ｂ）はその平均ＲＡＣＨアクセス遅延に基づいて制御された初期ＲＡＣＨ送信オフセットの時間変化を示すタイムチャートである。
【図７】本発明の第３実施例による送信電力制御方法の概略を説明するための模式的なタイムチャートであり、（Ａ）は平均ＲＡＣＨアクセス遅延の時間変化の一例を示すタイムチャート、（Ｂ）はその平均ＲＡＣＨアクセス遅延に基づいて制御された初期ＲＡＣＨ送信オフセットの時間変化を示すタイムチャートである。
【図８】本発明の第２実施例の変形例による送信電力制御方法における平均ＲＡＣＨアクセス遅延に基づいて制御された初期ＲＡＣＨ送信オフセットの時間変化を示すタイムチャートである。
【図９】本発明を実装した無線通信装置を含む無線通信システムの概略的構成を示すブロック図である。
【図１０】本発明によるＲＡＣＨ送信電力制御装置を実装した無線通信装置の構成を示すブロック図である。
【図１１】図９に示す移動局の構成を示すブロック図である。
【図１２】本発明の第１実施例によるＲＡＣＨ送信電力制御方法を示すフローチャートである。
【図１３】本発明の第２実施例によるＲＡＣＨ送信電力制御方法を示すフローチャートである。
【図１４】本発明の第３実施例によるＲＡＣＨ送信電力制御方法を示すフローチャートである。
【図１５】本発明を適用した移動体通信システムの概略的ネットワーク図である。
【符号の説明】
【００９７】
１０−１２  無線通信装置
１３  ネットワーク
１４  制御局
１００  無線送受信部
１０１  多重分離部
１０２  ＲＡＣＨデコーダ
１０３  ＲＡＣＨアクセス遅延測定部
１０４  ＲＡＣＨ送信電力制御部
１０５  設定値メモリ
１０６  メイン制御部
１０７、１０８  インターフェース
１０９  ＢＣＨ制御部
１１０  ＵＬ／ＤＬ−ＳＣＨ制御部
１１０  スケジューラ
２００  無線送受信部
２０１  多重分離部
２０２  ＢＣＨ受信制御部
２０３  メイン制御部
２０４  ＲＡＣＨ制御部
２０５  ＲＡＣＨエンコーダ
２０６  ＵＬ／ＤＬ−ＳＣＨ制御部
ＲＡＣＨ  ランダムアクセスチャネル
ＵＬ−ＳＣＨ  上りリンク共有チャネル
【図１】
2008278268.tif 000003
【図２】
2008278268.tif 000004
【図３】
2008278268.tif 000005
【図４】
2008278268.tif 000006
【図５】
2008278268.tif 000007
【図６】
2008278268.tif 000008
【図７】
2008278268.tif 000009
【図８】
2008278268.tif 000010
【図９】
2008278268.tif 000011
【図１０】
2008278268.tif 000012
【図１１】
2008278268.tif 000013
【図１２】
2008278268.tif 000014
【図１３】
2008278268.tif 000015
【図１４】
2008278268.tif 000016
【図１５】
2008278268.tif 000017